Podtech/llm-jp-corpus-v4-ja_patent huggingface dataset:
(57)【要約】【課題】地球環境の悪化防止で、小売店等のレジ袋代わりにエコバッグやマイバッグを使う運動や販売などもされていますが、一向に使う人が増えず普及率、使用率が上がりません。使いたい意識は高いのに携帯するのを忘れたり、コンパクトでないので携帯しづらい等難点があった。本発明は、この課題を解消する為になされたものである。【解決手段】レジ袋１にポケットティッシュケース２を接着する時に、レジ袋１を収納するポケットになる厚み４を設け、そこに折りたたんだレジ袋１を収納できるようにした。レジ袋表面１ａとポケットティッシュケース２との間にポケットの厚み４を設けたのでレジ袋１を収納してもポケットティッシュが入る口５よりポケットティッシュを入れて使え、同時にレジ袋としても使える。【選択図】図２
2008126049.tif 000002
【特許請求の範囲】
【請求項１】
ポッケトティッシュケースとレジ袋又は手提げ袋が一体化した形状
【請求項２】
ポケットティッシュケースとレジ袋又は手提げ袋の接着面に、一体化された袋を収納する為の空間部分がある形状
【発明の詳細な説明】
【技術分野】
【０００１】本発明は、レジ袋をいつも携帯する為に折りたたんだレジ袋が、ポケットティッシュケースの裏面ポケットに収納できるように一体化され、急な買い物時でも即時レジ袋にして使えるようにしたものである。
【背景技術】
【０００２】従来は、ポケットティッシュケースと一体化された収納式レジ袋はなかった。
【発明の開示】
【発明が解決しようとする課題】
【０００３】地球環境の悪化防止で、小売店等のレジ袋代わりにエコバッグやマイバッグを使う運動や販売などもされていますが、一向に使う人が増えず普及率、使用率が上がりません。使いたい意識は高いのに携帯するのを忘れたり、コンパクトでないので携帯しづらい等難点があった。本発明は、この課題を解消する為になされたものである。
【課題を解決する為の手段】
【０００４】レジ袋１にポケットティッシュケース２を接着する時に、レジ袋１を収納するポケットになる厚み４を設け、そこに折りたたんだレジ袋１を収納できるようにした。
レジ袋表面１ａとポケットティッシュケース２との間にポケットの厚み４を設けたのでレジ袋１を収納してもポケットティッシュが入る口５よりポケットティッシュを入れて使え、同時にレジ袋としても使える。
【発明の効果】
【０００５】コンパクトなポケットティッシュケースならば、バッグの中にも入れやすくいつも持ち歩くので携帯率も上がり、外出時にこのポケットティッシュケースを携帯していれば、買い物時にいつも自分のレジ袋を使うことが出来、地球環境悪化防止にも役立つ。
【実施例１】
【０００７】図１、図２参照
（イ）レジ袋表面１ａのポケットティッシュケース取り付け線３の部分にポケットの厚み４を設け縫い代５を内側にして取り付ける。レジ袋収納口７の部分を除いてポケットティッシュケース２の両横の縫い代５を縫い付けた後、ポケットティッシュケース２の底辺部分を縫い付ける。
（ロ）レジ袋表面１ａとレジ袋裏面１ｂを裏向きにして合わせ、マチ７を長手方向に縫い持ち手８をそれぞれレジ袋表面１ａ、レジ袋裏面１ｂの上部に合わせて縫い付ける。
（ハ）レジ袋１を表替えして、マチ７を内側に折り込レジ袋１の底部分を縫う。
【実施例２】
【０００８】図３参照
（ニ）レジ袋裏面１ｂを上にしてレジ袋１の両側を三分の一横方向に折りたたみ、続いて長手方向に半分折り、その又半分の折り込線を持ち、巻き込むようにしてレジ袋表面１ａのレジ袋収納口９にたたみ入れる。
【図面の簡単な説明】
【０００９】
【図１】本発明の正面図である。
【図２】本発明の使用状態を示す立体図である。
【図３】本発明の形態時の状態を示す立体図である。
【符号の説明】
【００１０】１    レジ袋
１ａ  レジ袋表面
１ｂ  レジ袋裏面
２    ポケットティッシュケース
３    ポケットティッシュケース取り付け線
４    ポケットの厚み
５    縫い代
６    ポケットティッシュが入る口
７    マチ
８    持ち手
９    レジ袋収納口
【図１】
2008126049.tif 000003
【図２】
2008126049.tif 000004
【図３】
2008126049.tif 000005
(57)【要約】【課題】薬を飲むときに片手の不自由な人や片手麻痺の人が簡単に薬を開けて内服することができず、不便な場合が多かった。内服をする場合に片手で簡単に薬包および錠剤を開けて内服することができる薬を開ける装置の付いた薬の整理箱を提供する。【解決手段】薬包（３）は磁石（２）で切り口を固定し、薬包（３）を引っ張ると切り口を破って開けることができる。錠剤（７）は錠剤を固定する枠（６）の穴に合わせ、錠剤を押し出す棒（５）で取り出すことができる。薬包（３）は薬包の整理箱（９）へ、錠剤（７）は錠剤の整理箱（１０）へ整理収納する。【選択図】図４
2008126038.tif 000002
【特許請求の範囲】
【請求項１】
磁石を利用して薬包の切り口を固定することにより、薬包を開けることのできる装置。
【請求項２】
薬包および錠剤を開ける装置の付いた薬の整理箱。
【発明の詳細な説明】
【技術分野】
【０００１】この発明は、薬の整理箱に薬包を開ける装置および錠剤を開ける装置を設けた薬の整理箱に関するものである。
【背景技術】
【０００２】従来、薬の整理箱に薬包を開ける装置および錠剤を開ける装置が付いていなかった。
【発明の開示】
【発明が解決しようとする課題】
【０００３】これはつぎのような問題点があった。薬を飲むときに片手の不自由な人や片手麻痺の人が簡単に薬を開けて内服することができず、不便な場合が多かった。
また、薬の整理箱に薬を開ける装置が付いていなかった。本発明は、以上のような欠点をなくすためになされたものである。
【課題を解決するための手段】
【０００４】薬の整理箱に薬包を開ける装置および錠剤を開ける装置を付ける。以上の構成よりなる薬を開ける装置を付けた薬の整理箱である。また、薬包の切り口を磁石で固定することにより片手でも簡単に開けることができる。
【発明の効果】
【０００５】薬の整理箱に薬包を開ける装置および錠剤を開ける装置がついているので、内服をする場合に片手で簡単に薬包および錠剤を開けて内服することができる。
【発明を実施するための最良の形態】
【０００６】薬の整理箱に薬包を開ける装置と錠剤を開ける装置を付ける。薬包は切り口を磁石で固定することにより片手で簡単に開けることができる。
【実施例】
【０００７】薬包（３）は薬の整理箱（１）の側面に磁石がつく金属性の素材（４）を設け、薬包（３）の切り口を磁石（２）で固定し、薬包（３）を引っ張ると切り口を破って開けることができる。錠剤（７）は錠剤を固定する枠（６）の穴に置き、錠剤を押し出す棒（５）で押すと錠剤（７）が押し出され、容器（８）の中に入る。
【産業上の利用可能性】
【０００８】本発明は、以上のような構造で、片手の不自由な方や片手麻痺の人が簡単に薬を開けて内服することができる。高齢者や障がい者のいる世帯や施設での利用可能性がある。
【図面の簡単な説明】
【０００９】
【図１】本発明を示した正面図である。
【図２】本発明を示した側面図である。
【図３】本発明を示した側面図である。
【図４】本発明を示した斜視図である。
【符号の説明】
【００１０】  １  薬の整理箱
２  磁石
３  薬包
４  磁石がつく金属性の素材
５  錠剤を押し出す棒
６  錠剤を固定する枠
７  錠剤
８  錠剤を受ける容器
９  薬包の整理箱
１０  錠剤の整理箱
【図１】
2008126038.tif 000003
【図２】
2008126038.tif 000004
【図３】
2008126038.tif 000005
【図４】
2008126038.tif 000006
(57)【要約】      （修正有）【課題】加熱したさつまいも、じゃがいも、チーズ、スモークサーモン等のそのまま口にするものを、粘りを出さず、さらっと舌触りのよい、ペースト状とする裏ごし機を提供すること。【解決手段】取付座金、台丁ねじ、ハンドルを備えた本体にロール、表と裏を使える刃、メッシュを有するプレート、リングを介在させた構成の裏ごし機とし、これにペースト状としたい食材を熱いうちに供給して得る。【選択図】図２
2008126035.tif 000002
【特許請求の範囲】
【請求項１】
いままでのミートチョッパーは、円形の穴から押しつぶしてあまりよいとはいえない状態でした。ただ生肉、生魚のミンチでした。しかし、自家製ソーセージ機にも、活用してもらいたいと思いますが、それは誰かが特許をもっているとおもいます。家庭、小さなレストランなどで、簡単に使えるものを、作りたい。
【請求項２】
私は、加熱したさつまいも、じゃがいも、チーズ、スモークサーモンなど、そのまま口にするものを裏ごし機として、ミートチョッパーと区別して使ってほしいものです。なるべく軽量にして、刃は表と裏をつかえるようにくふうしてあります。粘りを出さず、さらっと舌触りのよい、ペースト状にしたいのです。
【発明の詳細な説明】
【技術分野】
【０００１】
【背景技術】
【０００２】
【特許文献１】
【特許文献２】
【非特許文献１】
【非特許文献２】
【発明の開示】
【発明が解決しようとする課題】［裏ごしはいままでこまかければいいみたいでしたがプロの技術はねばりをださないことです］
【課題を解決するための手段】［粘りを出さないことでも冷えると出ます。熱いうちにやることです］
【発明の効果】［いろいろなお菓子屋さん、コックさんが仕事がはかどる］
【発明を実施するための最良の形態】［軽くて使いやすいこと、衛生的にしようしてほしいので、病院、老人ホームなど、多人数を相手にやわらかいお菓子等を提供できる場所。］
【実施例】［私の今いる会社で、協力してもらえば、二千台以上売れます。］
【産業上の利用可能性】［お菓子や、コック、料理すきな奥さん］
【図面の簡単な説明】［四角い網目だと１ｍｍ以下で製作は難しいので、レーザーで製作します。］【図１】［］
【符号の説明】
１・・・プレート板です。
２・・・軸穴
３・・・メッシュ
４・・・ノック穴
【図２】
【符号の説明】
イ・・・裏刃
ロ・・・押さえ軸
ハ・・・軸穴
二・・・刃
▲１▼・・・リング
▲２▼・・・プレート
▲３▼・・・ナイフ
▲４▼・・・ロール
▲５▼・・・本体
▲６▼・・・ハンドル
▲７▼・・・ハンドルねじ止め
▲８▼・・・台丁ねじ
▲９▼・・・取り付け座金
▲１０▼・・・座金止め
▲１１▼・・・押さえゴム
▲１２▼▲１３▼・・・押棒
【図１】
2008126035.tif 000003
【図２】
2008126035.tif 000004
【手続補正書】
【提出日】平成19年2月7日(2007.2.7)
【手続補正１】
【補正対象書類名】明細書
【補正対象項目名】全文
【補正方法】変更
【補正の内容】
【発明の詳細な説明】
【発明の開示】
【発明が解決しようとする課題】
【０００１】裏ごしは今までは細かければいいみたいでしたがプロの技術はねばりをださないことです。
【課題を解決するための手段】粘りを出さないことでも冷えると出ます。熱いうちにやることです。
【発明の効果】いろいろなお菓子屋さん、コックさんが仕事がはかどる。
【発明を実施するための最良の形態】軽くて使いやすいこと、衛生的にしようしてほしいので、病院、老人ホームなど、多人数を相手にやわらかいお菓子等を提供できる場所。
【実施例】私の今いる会社で、協力してもらえば、二千台以上売れます。
【産業上の利用可能性】お菓子や、コック、料理すきな奥さん。
【図面の簡単な説明】
【０００２】
【図１】左上の図は、上面図です。左下の図は、側面図です。右下の図は、底面図です。これは裏ごし機のプレートです。
【図２】ナイフの部分は、左が正面図です。右が側面図です。下の図は、全体を描いたものです。
【符号の説明】
【０００３】１・・・プレート板です。
２・・・軸穴
３・・・メッシュ
４・・・ノック穴
＜１＞・・・リング
＜２＞・・・プレート
＜３＞・・・ナイフ
＜５＞・・・本体
＜６＞・・・ハンドル
＜７＞・・・ハンドルねじ止め
＜８＞・・・台丁ねじ
＜９＞・・・取り付け座金
＜１０＞座金止め
＜１１＞押さえゴム
＜１２＞押棒
＜１３＞押棒
(57)【要約】【課題】ペアのコーヒーカップを使うことによって、カップルの結びつきを強めることを目的とした。【解決手段】ペアのコーヒーカップの口があたる部分に唇の形状を作ることによって、カップルの男女などがコーヒーなどを飲む際に、相手とキッスをしたような感じを得られる。【選択図】図１
2008126037.tif 000002
【特許請求の範囲】
【請求項１】
コーヒーカップの口のあたる部分を唇の形状にすること。
【発明の詳細な説明】
【技術分野】
【０００１】  本発明は、コーヒーカップの形状に関する。
【背景技術】
【０００２】  従来、ペアのコーヒーカップはデザインが同様な物という程度だった。
【発明の開示】
【発明が解決しようとする課題】
【０００３】  ペアのコーヒーカップを使うことによって、カップルの結びつきを強めることを目的とした。
【課題を解決するための手段】
【０００４】  ペアのコーヒーカップの口があたる部分に唇の形状をつくる。
【発明の効果】
【０００５】  カップルの男女などがコーヒーなどを飲む際に、相手とキッスをしたような感じを得られる。
【発明を実施するための最良の形態】
【０００６】  以下、本発明の実施の形態を図面に基づき説明する。【０００７】  図１は、コーヒーカップの口があたる部分を唇の形状にした物。カップの唇の部分は唇色に着色する。またカップにメッセージや名前などを入れる。
【図面の簡単な説明】
【０００８】
【図１】  コーヒーカップの口があたる部分を唇の形状にしたもの。
【符号の説明】
１  コーヒーカップの口のあたる部分を唇の形状にしたもの。
【図１】
2008126037.tif 000003
(57)【要約】      （修正有）【課題】垢擦り時に皮膚を傷めずに、マッサージ効果も得られ、また、物体に付着しているごみや汚れを除去させ、ブラシの清掃が簡便になる等のブラシの機能が向上し効率を高めさせる。【解決手段】ブラシにおいて、ゴム若しくは2008126039.tif 000010性と可撓性を併存させた、縦横長さは１〜２ｍｍの独立した弾性突起１を、方向を図り縦横に設置した波型ブラシとする。【選択図】図１
2008126039.tif 000002
【特許請求の範囲】
【請求項１】
ブラシにおいて、ゴム若しくは樹脂を用い、台と毛束が一体構造で、且つ毛
2008126039.tif 000009
独立した弾性突起を、方向を図り縦横に設置した波型ブラシ。
【発明の詳細な説明】
【技術分野】
【０００１】  本発明はブラシに関するものである。
【背景技術】
【０００２】  従来のブラシの毛または毛束においては、ゴム若しくは樹脂を用いて台と一体構造となる場合に、ペット用のブラシで弾性突起が円錐状で先丸の形状が多く、また［特許文献１］特開２００５−１６０６８４で公開された頭皮マッサージ用ブラシがある。
【従来技術の欠点】
【０００３】  然しながらこれら従来のブラシでは，マッサージ効果と、物体に付着しているごみや汚れやペットの毛等の除去目的で使用されているものであり、機能として掻き取ることが付与されていない為に、垢擦りのように角質を擦り取る際に、金属やセラミック、軽石等のように極めて硬質の素材での器具を使用されている。
【発明の開示】
【発明が解決しようとする課題】
【０００４】  垢擦り時に皮膚を傷めずに、マッサージ効果も得られ、また、物体に付着しているごみや汚れを除去させ、ブラシの清掃が簡便になる等のブラシの機能が向上し効率を高めさせる。
【課題を解決するための手段】
【０００５】  上記の課題を解決するために、請求項１の発明は、ブラシにおいて、ゴム若しく
2008126039.tif 000003
剛性と可撓性を併存させた、縦横長さは１〜２ｍｍの独立した弾性突起を、方向を図り縦横に設置した波型ブラシとする。
【発明の効果】
【０００６】
2008126039.tif 000004
可撓性を併存することで剛性が掻き取りの機能を強化し、垢擦り時に石鹸等が滑剤として介在すると皮膚を傷めずマッサージ効果も得られる。【０００７】
2008126039.tif 000005
て波型ブラシとなり、ペットや絨毯等の毛足の長い物体の清掃に於いて、突起の高さの高いほうを前にして作用しての掻き取り方向でブラッシングすることで脱け毛やごみや汚れがブラシに絡み付く事で清掃作業となり、物体の清掃作業が完了の後、ブラシを、樹脂・木材や畳又はカーペット等の上にて、円運動のブラッシング
2008126039.tif 000006
に絡み付いた状態から脱去でき、更に円運動を数回重ねるとゴミの玉状となり、掃除機での吸引や手や挟みでの掴み取りでの処理が容易になる。
【発明を実施するための最良の形態】
【０００８】  以下図面の例に従って請求項１の発明を具体的に説明すれば、ゴム若しくは樹脂を用いて、台２と一体構造となる毛束としての独立した弾性突起１を、縦横長さは
2008126039.tif 000007
図り縦横に設置した波型ブラシが望ましい。
【産業上の利用可能性】
【０００９】  その他、清掃用具或は掻き取り機能を要するブラシにおいて、ゴム若しくは樹脂を用いて台と一体構造となる毛束として利用することが出来る。
【図面の簡単な説明】
【００１０】
【図１】台と一体構造となる毛束
【図２】
2008126039.tif 000008
【図３】整列設置した弾性突起
【図４】千鳥設置した弾性突起
【符号の説明】
【００１２】  １は弾性突起
２は台
【図１】
2008126039.tif 000011
【図２】
2008126039.tif 000012
【図３】
2008126039.tif 000013
【図４】
2008126039.tif 000014
(57)【要約】      （修正有）【課題】履物の前の部分を上に向けて反らすように上げた履物にすると足の指全体が上に反るようになり、その履物を履くことによって足の指が広げられ指の血行を良くすることが出来る又指を上げる事により指の付け根のツボを刺激する事が出来る。【解決手段】履物の指先の部分を上に向けて上げた履物を作り履くことである。【選択図】図１
2008126032.tif 000002
【特許請求の範囲】
【請求項１】
履物の前の部分を上に向けて上げた履物。
【発明の詳細な説明】
【技術分野】
【０００１】サンダル・スリッパ・ツッカケ・スニーカ・等の履物を履物の前の指の部分を上に反らして上に向けて上げた履物
【背景技術】
【０００２】足の指は、指と指の間がなるべく開いているのが良いので有り、言い換えると足の先は横に広がって居ると血流が良くなり健康に良いとされている。指先を広げるには指先を上に反らすことである。指と指の間が開いていると血行が良くなり水虫になり難い。足先の指全体を横に広げるには足の指の部分を上に反らすようにする事であり・足の指が上に反る為には足先が上に反るか又は上に上がった履物にする事である。この履物で歩くと指の付け根のツボを刺激するので健康に良い。
【発明の開示】
履物に望まれることは、歩き易さ・履き心地良さ・健康に良いものであり、それを満たすものとして考えた。
【発明が解決しようとする課題】
【０００３】履物の前の部分を上に向けて上げることにより指を上に反らすことが出来る、指が上に反ることにより指と指の間が広がり血行が良くなる又歩くと指の付け根のツボが刺激され健康に良いと思われる。
【課題を解決するための手段】
【０００４】履物の前の指先の部分を上に向けて上げて足の指を上に反らすようにした履物にした。
【発明の効果】
【０００５】足の指が上に反り上がることに依り指の間が広がり血液の流れが良くなる。指が上に反り上がるので履いて歩くと指の付け根ツボが刺激され健康に良い。実際に履いて見て歩き易いことが解かった。
【発明が実施するための最良の形態】
【０００６】履物の前の部分を上に向けて上げることで其の履物を履く事により足の指を上に反らすことが出来る。
【実施例】
【０００７】図１は履物の前部を上に反らして、その履物を履くことによって足の指の部分が広がるようにしたので足の指を広げる事が出来て血流が良くなった、又ツボが刺激される事により健康にも良い。【０００８】図２は履物の前を高くして指が上に向けて上がるようにした結果は図１と同じ。
【産業上利用可能性】
【０００９】この履物を履いて歩く事により足の先の指が広がり指の血流が良くなり指の根元のツボを刺激するので足の疲れが取れる。
【図面の簡単な説明】
【００１０】
【図１】履物の前部の指の部分を上に向けて反らした履物。（イ）足  （ロ）足の指  （ハ）履物（ニ）足留め  （ホ）履物の先を上に向けて上げたもの
【図２】履物の前部を指が上に向けて上がるように履物の前を上げたはきもの。（イ）足  （ロ）足の指  （ハ）履物  （ニ）足留め  （ホ）履物の先を上に向けて上げたもの
【図３】履物の前部が上に向いている履物の姿図  （ハ）履物  （ニ）足留め  （ホ）履物の前の部分が上に向いて上がっている履物
【図１】
2008126032.tif 000003
【図２】
2008126032.tif 000004
【図３】
2008126032.tif 000005
(57)【要約】【課題】  開口部や隙間のあるカバーはそこから虫が侵入し、洋服は虫に喰われてしまい被害を受けるという問題点がある。又、カバーそのものも喰い破られ洋服が被害を受けるという問題点がある。【解決手段】  本発明は洋服を掛けるハンガーのハンガーフックを、防虫カバー最上部とファスナーのスライダーで前後から挟み、防虫カバー開口部をほとんど隙間なく閉じることのできる洋服の防虫カバーを提供することにより、上記課題を解決したものである。【選択図】図１
2008126036.tif 000002
【特許請求の範囲】
【請求項１】
洋服を掛けるハンガーのハンガーフックを、防虫カバー最上部とファスナーのスライダーで前後から挟み、防虫カバー開口部をほとんど隙間なく閉じることのできる洋服の防虫カバー。
【発明の詳細な説明】
【技術分野】
【０００１】本発明は、洋服を虫喰いの害から守るための防虫カバーに関するものである。
【背景技術】
【０００２】主にクリーニング業界と防虫剤メーカーより市販されているポリエチレン製フィルムで作られた防虫カバー（以下「カバー」という）で防虫を謳ったカバーがある。
これらのカバーは開口部が開いたままか隙間なく閉じられる構造になっていない。
【発明の開示】
【発明が解決しようとする課題】
【０００３】開口部や隙間のあるカバーはそこから虫が侵入し、洋服は虫に喰われてしまい被害を受けるという問題点がある。
【課題を解決するための手段】
【０００４】本発明は洋服を掛けるハンガーのハンガーフックを、防虫カバー最上部とファスナーのスライダーで前後から挟み、防虫カバー開口部をほとんど隙間なく閉じることのできる洋服の防虫カバーを提供することにより、上記課題を解決したものである。
【発明の効果】
【０００５】本発明のカバーは従来のカバーに比べほとんど隙間がないため閉じている間は虫は開口部や隙間から出入りすることは難しい。このカバーは虫の侵入に備えガードを堅くした点において優れ、洋服はこれまで以上に虫喰いの害から保護される。
【発明を実施するための最良の形態】
【０００６】本発明のカバーは、図１に示されるように、洋服を掛けるハンガーのフックをカバーの最上部に図２に示すごとくミシン縫い又は接着剤で取り付けられた片面のマジックテープと、カバー前面に設けられたファスナーのスライダーでハンガーフックを前後から挟むとハンガーフックの周りはほとんど隙間なく閉じることが出来る。【０００７】カバーの使い方は従来のファスナー付防虫カバーと同じ作業で、ごく自然に従来と同じ作業でできる。【０００８】図３に示されるように図はカバー前身を開いた図で、洋服をカバーに仕舞う時はハンガーに掛けた洋服の両肩をカバー内部の両肩にあて洋服をカバー内に入れ、スライダーを下方より上方に上げハンガーフックに達した所でハンガーフックの周り及びカバー全体はほとんど隙間なく閉まりスライダーの引き手を離せば作業は終了する。【０００９】カバーの素材は不織布、軟質のポリプロピレン、紙等を用い、虫のつきにくい素材を使用する。【００１０】図２に示すごとくカバー最上部に取り付けられるパーツはハンガーフックの芯を囲うように穴を開け切り込みを入れる。素材は柔軟性のある化学繊維、ゴム、綿、麻等を用い虫のつきにくい素材を使用する。【００１１】図４に示すごとくカバー内上部に防虫剤、防カビ剤、乾燥剤を入れる内ポケットと、外部から洋服の色、柄が見えるように透明なフィルムの窓及び外ポケットをつける。
【図面の簡単な説明】
【００１２】
【図１】ハンガーフックまわりの斜視図
【図２】マジックテープ
【図３】防虫カバー開き図
【図４】防虫カバー正面図
【符号の説明】
【００１３】１．ハンガーフック
２．防虫カバー
３．ファスナー
４．スライダー
５．マジックテープ
６．内ポケット
７．外ポケット
８．窓
【図１】
2008126036.tif 000003
【図２】
2008126036.tif 000004
【図３】
2008126036.tif 000005
【図４】
2008126036.tif 000006
(57)【要約】      （修正有）【課題】商品陳列棚の販売品に関して、弾性体を装着した蝶番付の商品番号表示板を提供する。【解決手段】蝶番２にスプリング３を取り付け、商品番号を入れるアクリル板１に蝶番２を取り付け、当該蝶番２を商品陳列棚４に取り付けた商品番号表示板であり、商品を取り出す時には、その商品番号表示板を倒し、取り出し後は、自動的に商品番号表示板が戻る。【選択図】図２
2008126033.tif 000002
【特許請求の範囲】
【請求項１】
（イ）蝶番（２）にスプリング（３）を取り付ける。
（ロ）商品番号を入れるアクリル板（１）に蝶番（２）を取り付ける。
（ハ）当該蝶番（２）を商品陳列棚（４）に取り付ける。
以上のように構成された商品陳列補助具。
【発明の詳細な説明】
【技術分野】
【０００１】  本発明は、商品陳列棚等に用いる商品番号を表示するための蝶番による可動式商品番号表示板に関するもので、販売品の商品番号板を、弾性体を装着した蝶番を用いて表示させ、商品を取り出す時には、その商品番号板を倒し、取り出し後は、自動的に商品番号板が戻ることを特徴とする商品陳列補助具である。
【背景技術】
【０００２】  従来、商品陳列棚等に用いる商品番号の表示は、トレーに紙などの番号札や商品表示用のクリップを付けて表示していた。
【発明の開示】
【発明が解決しようとする課題】
【０００３】  そのために、次のような問題点があった。
（イ）商品陳列棚に乗せるトレーの中身の商品を移動させると番号札の順番がバラバラになるため、番号札も取り外して、一緒に移動させなければならなかった。
（ロ）商品陳列棚の商品表示用のクリップを用いると、それ自体が邪魔になり、商品を自由に取り出すことが困難であった。
本発明は、これらの問題点を解決するためになされたものである。
【課題を解決するための手段】
【０００４】（イ）蝶番（２）にスプリング（３）を取り付ける。
（ロ）商品番号を入れるアクリル板（１）に蝶番（２）を取り付ける。
（ハ）当該蝶番（２）を商品陳列棚（４）に取り付ける。
以上のように構成された商品陳列補助具。
【発明の効果】
【０００５】  トレーの中身の商品の移動が簡単にできる。
商品陳列棚の商品の表示板が邪魔になることはない。
商品を自由に取り出すことができる。
商品陳列棚に商品を整理して販売する場合は、商品の整理及び出し入れが容易になる。
【発明を実施するための最良の形態】
【０００６】  以下、本発明の実施の形態について説明する。
（イ）蝶番（２）にスプリング（３）を取り付ける。
（ロ）商品番号を入れるアクリル板（１）に蝶番（２）を取り付ける。
（ハ）当該蝶番（２）を商品陳列棚（４）に取り付ける。
本発明は以上のような構成である。
本発明を使用するときは、第一実施例は、商品陳列棚に販売品の商品番号を表示する板を取り付け、それに蝶番（２）を装着させる。
第二実施例は、商品の出し入れに際して、倒れた番号表示板が自動的に元の位置に戻るようにするために、蝶番（２）にスプリング（３）等の弾性体を装着させる。
【図面の簡単な説明】
【０００７】
【図１】  本発明の斜視図である。
【図２】  本発明を広げた場合の斜視図である。
【図３】  本発明を可動させた場合の側面図である。
【符号の説明】
【０００８】      １  アクリル板
２  蝶番
３  スプリング
４  商品陳列棚
【図１】
2008126033.tif 000003
【図２】
2008126033.tif 000004
【図３】
2008126033.tif 000005
(57)【要約】      （修正有）【課題】骨盤を締め付ける機能があり、座った状態で腰仙角を正しい角度に保持する骨盤矯正クッションを提供することである。【解決手段】凹状に形成された弾性体からなる骨盤載置部の座面背中側に、仙骨７の腰仙角８を保持するための支持部を設けた中材を、生地にて外装したクッションとする。この構成により、座った状態で腰仙角８を正しい角度に保持しながら骨盤５を締め付け、骨盤５の歪み、緩みを矯正する。【選択図】図４
2008126025.tif 000002
【特許請求の範囲】
【請求項１】
骨盤を左右から締め付けるために凹状に形成された、弾性体からなる骨盤載置部の座面背中側に、仙骨の腰仙角を保持するための支持部を設けたことを特徴とする骨盤矯正クッション。
【発明の詳細な説明】
【技術分野】
【０００１】本発明は、骨盤の歪み、緩みを矯正するクッションに関するものである。
【背景技術】
【０００２】生活習慣において偏った悪い姿勢を取り続けたり、また加齢による筋肉の衰えなどにより骨盤に大きな負担がかかり、骨盤の歪み、緩みが生じる。特に女性の場合、出産に備えて骨盤を繋ぐ靱帯が緩みやすくなっており、出産時は恥骨結合の幅が伸びるので出産後に異常が生じやすい傾向にある。【０００３】骨盤の歪み、緩みは下半身太りなどの肥満や腰痛、肩こり、膝痛といった関節や神経の不調、また生理痛、尿漏れ、便秘などの体調不良を招く。【０００４】この骨盤の歪み、緩みを矯正するため、座るだけで骨盤を締め付けることができるクッションなどが市販されており、本出願人も先に、硬めの弾性体と衝撃吸収性のよい弾性体との二層構造からなる骨盤矯正クッションを提案している（特願２００６−１４５９１５）。【０００５】ところで人間の脊椎は横から見ると生理的湾曲と呼ばれる、上半身の重さを吸収するカーブ状になっており、仙骨に接する部分は腰仙角と呼ばれる角度がついていて仙骨にかかる体重を分散吸収する仕組みになっている。ところがクッションに座り続けるうち腰仙角が正しい角度に保たれなくなると、骨盤が後に倒れた状態になり、脊椎のカーブ形状が崩れ、いわゆる猫背の悪い姿勢になってしまうので、骨盤だけを締め付けても骨盤を正しい位置に戻すことは困難である。
【発明の開示】
【発明が解決しようとする課題】
【０００６】本発明の技術的課題は、前述の問題を解決するため、座った状態で腰仙角を正しい角度に保持する骨盤矯正クッションを提供することである。
【課題を解決するための手段】
【０００７】前記課題を解決するため本発明は、骨盤を左右から締め付けるために凹状に形成された、弾性体からなる骨盤載置部の座面背中側に、仙骨の腰仙角を保持するための支持部を設けた骨盤矯正クッションとする。
【発明の効果】
【０００８】上述した構成により、座った状態で腰仙角を正しい角度に保持しながら骨盤を締め付けるので、骨盤の歪み、緩みの矯正に有効に作用する効果がある。
【発明を実施するための最良の実施の形態】
【０００９】本発明は、凹状に形成された弾性体からなる骨盤載置部の座面背中側に、仙骨の腰仙角を保持するための支持部を設けた中材を、生地にて外装した構成とする。
【実施例】
【００１１】本発明の実施の形態を図１〜図６に基づいて説明する。図１は本発明品の実施形態であるクッションの外観の斜視図。図２は本発明品のクッションの中材となる骨盤載置部３の斜視図である。骨盤載置部３はポリウレタンのような弾性材から成り、尻部の幅より狭めの凹状に形成されているので、図３の模式図に示すように、クッションに座ると体重で凹状の左右の膨出部４が開くが、弾性材の戻る力により骨盤５を外側から締め付ける。【００１２】図４は人体の脊椎、骨盤を横から見た模式図であるが、脊椎６は生理的湾曲と呼ばれるカーブ状になっていて上半身の重さを吸収しており、仙骨７に接する部分は腰仙角８と呼ばれる約３０度の角度がついており、その角度によって体重が仙骨７にかかる力を分散吸収している。【００１３】ところが椅子やクッションに座り続けると、図５で示すように仙骨７が後に倒れてきて、腰仙角８の角度が狂い、同時に脊椎６のカーブの形状も崩れて、いわゆる猫背の姿勢になる。そのため仙骨７に上半身の体重が過度に加わり、限界を超えると腰痛を引き起こす要因にもなる。【００１４】しかし図６で示すように本発明品を使用すれば、仙骨支持部９が仙骨７を支えるので腰仙角８は正しい角度に保たれ、正しい姿勢を持続できるので骨盤の矯正はもとより腰痛の予防にも有効なものである。
【図面の簡単な説明】
【図１】発明品のクッションの外観の斜視図
【図２】発明品のクッションの中材となる骨盤載置部の斜視図。
【図３】発明品の骨盤締め付けの状態をしめす横断面模式図。
【図４】人体の脊椎、骨盤を横から見た模式図。
【図５】骨盤が後に倒れた状態を横から見た模式図。
【図６】発明品使用時の脊椎、骨盤を横から見た模式図。
【符号の説明】
１  クッション
２  生地
３  骨盤載置部
４  膨出部
５  骨盤
６  脊椎
７  仙骨
８  腰仙角
９  仙骨支持部
【図１】
2008126025.tif 000003
【図２】
2008126025.tif 000004
【図３】
2008126025.tif 000005
【図４】
2008126025.tif 000006
【図５】
2008126025.tif 000007
【図６】
2008126025.tif 000008
(57)【要約】【課題】カーテンの浮き上がりは、非常に苦労させられます。カーテンの浮き上がりを、防ぐ。【解決手段】左右から、ゴムバンドで、押さえる。【選択図】図２
2008126024.tif 000002
【特許請求の範囲】
【請求項１】
カーテンの浮き上がり防止の、ゴムバンドの器具。
【発明の詳細な説明】
【技術分野】
【０００１】本発明は、カーテンの浮き上がりを防止する為の、ゴムバンドの器具。
【技術背景】
【０００２】カーテンの浮き上がりは、非常に苦労させられます。
カーテンの浮き上がりを、止めておこうと思いました。
【発明の開示】
【発明が解決しようとする課題】
【０００３】日常生活のカーテンの浮き上がりを、止める。
【課題を解決する為の手段】
【０００４】ゴムバンドで、止める。
【発明の効果】
【０００５】カーテンの浮き上がりを、防ぐ。
【発明を実施するための最良の形態】
【０００６】片側にゴムバンドを固定し、ゴムバンドを、カーテンを、抑えるように、反対側に伸ばしていき、カーテンの浮き上がりを止めて、反対側で、止め具に、はめる。
【実施例】
【０００７】カーテンの両サイドから、ゴムバンドで、カーテンの浮き上がりを防止する為に、押さえ込む。
【産業上の利用可能性】
【０００８】生活雑貨として販売。
【図面の簡単な説明】
【０００９】
【図１】本発明の、カーテン・ストップ
【図２】本発明の、実施例
【図１】
2008126024.tif 000003
【図２】
2008126024.tif 000004
(57)【要約】【課題】  この発明は、魚頭を落とした魚肉の中骨の山高骨に包丁の溝を合わせて中骨に沿って引く事により、刃の部分で中骨と魚肉を切り離し、溝部分で中骨の山高骨を中骨より切断する事なく魚肉から剥離し、三枚卸にするための包丁に関するものである。【解決手段】魚頭を落とした魚肉の中骨の山高骨に包丁の溝を合わせて、中骨に沿って引く。【選択図】図１
2008126028.tif 000002
【特許請求の範囲】
【請求項１】
両刃包丁に魚肉の中骨の山高骨を通す溝を設ける。
【請求項２】
溝の持手側に骨や魚肉の溜まりの為の空洞を設ける。
以上の如く構成された、魚肉の三枚卸し包丁。
【発明の詳細な説明】
【発明の詳細な説明】
【発明に関する技術分野】
【０００１】この発明は、魚頭を落とした魚肉の中骨の山高骨を包丁の溝を合わせて引く事により、両刃部分で中骨から魚肉を切断し、包丁の溝部分で中骨の山高骨も同時に魚肉からはずして三枚卸しにする事ができる包丁に関するものである。
【背景技術】
【０００２】従来の魚肉の三枚卸しの方法は、魚頭を落とした魚肉の中骨に沿わせて包丁を入れ、魚肉を中骨から切り離し、三枚におろした後に、魚肉に残った中骨から切断された山高骨を小骨取り器具等を使い１本１本取り除いていた。
この作業は、きわめて煩わしく、また魚肉の鮮度を落とすことであった。
【発明が解決しようとする課題】
【０００３】したがって、従来の魚肉の三枚卸しの方法では、中骨と魚肉を切り離した後に、最後に中骨から切断した山高骨の小骨を取る作業が必要で、この作業は非常に煩雑な為、一般家庭による丸ごとの魚の消費が減った。本発明は、小骨取りの作業負担をなくすることで一般家庭の丸ごと魚の消費を増やす為に発明されたものである。
【課題を解決するための手段】
【０００４】いま、その構成を説明すると、
（イ）両刃包丁に魚肉の中骨の山高骨を通す溝を設ける。
（ハ）溝の持手側に骨や魚肉の溜まりの為の空洞を設ける。
以上のように構成する。
【発明を実施するための最良の形態】
【０００５】次に本発明の実施の形態を述べると、魚頭を落とした魚肉の中骨の山高骨に中央の溝を合わせて中骨に沿って引く事により、刃の部分で中骨と魚肉を切り離し、溝部分で中骨の山高骨を中骨より切断する事なく魚肉からはずし、三枚卸しと同時に中骨の山高骨を魚肉から取り除く事が出来る。
【発明の効果】
【０００６】魚頭を落とした魚肉を三枚卸しと同時に中骨の山高骨を取り除く事が出来、中骨の山高骨を小骨取り器具等を使い１本１本取る作業を省く事が出来る。
【図面の簡単な説明】
【図１】本発明の平面図
【図２】本発明の断面図
【図３】本発明の実施の平面図
【符号の説明】
１．は刃
２．は中骨の山高骨を通す溝
３．は山高骨や魚肉の溜まりの為の空洞
４．は包丁の持ち手
【図１】
2008126028.tif 000003
【図２】
2008126028.tif 000004
【図３】
2008126028.tif 000005
(57)【要約】【課題】  踏みつけ部に立ち上がり部を設け、その前面などに引っ掛け部を設けた靴脱ぎ具を提供する。【解決手段】  踏みつけ部１に立ち上がり部２を設け、その前面などに、引っ掛け部３を設けた事を特徴とする靴脱ぎ具。【選択図】図１
2008126053.tif 000002
【特許請求の範囲】
【請求項１】
踏みつけ部（１）の端などに立ち上がり部（２）を設け、その前面などに引っ掛け部（３）を設けた靴脱ぎ具。
【発明の詳細な説明】
【技術分野】
【０００１】  この発明は踏みつけ板などに、立ち上がり部を設け、その立ち上がり部に、引っ掛け部を設けた靴脱ぎ具に関するものである。
【背景技術】
【０００２】  従来、前後に足を開をいて、ブーツ類などを脱ぐ靴脱ぎ具があった。
【発明の開示】
【発明が解決しようとする課題】
【０００３】  それには、次のような欠点があった。
（イ）足を前後に開くので、不安定であった。
（ロ）主に、ブーツ類だけの場合の専用であった。
本発明は、これらの欠点を除くためになされたものである。
【課題を解決するための手段】
【０００４】  踏みつけ部（１）の端などに立ちあがり部（２）を設け、その前面などに、引っ掛け部（３）を設ける。
本発明は、以上のような構成よりなる靴脱ぎ具である。
【発明の効果】
【０００５】  発明は以上の構造で、これを使用する時は、踏みつけ部の上に、両足を前向きに置き、片方の足の靴の後側を引っ掛け部に、引っ掛けて、足を引き上げる。
以上のようにして靴を脱ぐので、両足を横並びにした状態から使用するので、安定した状態で脱ぐ事ができる。又、どんな靴類を脱ぐ時でも簡単に安定した状態で使用する事ができる。
【発明を実施するための最良の形態】
【０００６】  以下、本発明の実施の形態について説明する。
（イ）踏みつけ部（１）の端などに、立ち上がり部（２）を設ける。
（ロ）その前面などに引っ掛け部（３）を設ける
本発明は以上のような構成で、これを使用するときは、踏みつけ部（１）を片方の足で踏みつけ、もう一方の足の靴の踵部分を、引っ掛け部（３）に引っ掛けて、足を引き上げると靴が脱げる。どんな靴類でも安定して靴を脱ぐ事ができる。
【実施例１】
【０００７】  図２に示すように、持ち柄部（４）を設けてもよい。
【実施例２】
【０００８】  図３に示すように、立ち上がり立部の両面に、踏みつけ部と引っ掛け部を設けてもよい。
【実施例３】
【０００９】  図４に示すように、コの字形の形状にしてもよい。
【実施例４】
【００１０】  図５に示すように、引っ掛け部に半円状などの切れ込みを設けてもよい。
【実施例５】
【００１１】  図６に示すように、引っ掛け部を、刺股状の形状にしてもよい。
【実施例６】
【００１２】  図７に示すように、引っ掛け部に、凹凸状のゴム板などを取り付けてもよい。なお上記、他の実施例以外にも、本発明の、特許請求の範囲を基本にして、いろいろな形状の本発明の靴脱ぎ具が考えられる。
【図面の簡単な説明】
【００１３】
【図１】  本発明の斜視図である。
【図２】  本発明に持ち柄部を設けた場合の斜視図。
【図３】  立ち上がり部の両面に、踏みつけ部と引っ掛け部を設けた場合の斜視図。
【図４】  本発明をコの字形の形状にした場合の斜視図。
2008126053.tif 000003
【符号の説明】
【００１４】  １  踏みつけ部。  ２  立ち上がり部。  ３  引っ掛け部
４  持ち柄部。    ５  切れ込みのある引っ掛け部
６  刺股状の引っ掛け部
７  凹凸状の引っ掛け部
【図１】
2008126053.tif 000004
【図２】
2008126053.tif 000005
【図３】
2008126053.tif 000006
【図４】
2008126053.tif 000007
【図５】
2008126053.tif 000008
【図６】
2008126053.tif 000009
【図７】
2008126053.tif 000010
(57)【要約】      （修正有）【課題】従来うちわは夜間に使用されるケースも多い為、暗所であることの理由からうちわに印刷された文字や図形の訴求効果が得られない場合も見受けられたが、本考案はそれを解消する為のものである。【解決手段】柄の部分に埋め込まれたＬＥＤを光源とし、アクリル板（扇部分）にメッセージや広告等の文字や図形を美しく間接発光させる。アクリル板にレーザー加工した文字や図形は光源が無くとも白く発色するが、光源によってさらに美しく発光する。暗所では、文字や図形が発光して空間に浮かんでいるように見える。アクリル板（扇部分）は、ネジ式で簡単に交換可能（もちろん柄の部分に固定しても良い。）とし、異なるメッセージ（文字や図形）にも簡単に交換可能とする。発光自体は単色の常時点灯でも美しいが、光源の発光方法に色の変更や点滅・連続的な色の変化等を盛り込めば、さらに視覚効果が高まる。【選択図】図１
2008126052.tif 000002
【特許請求の範囲】
【請求項１】
交換可能なアクリル板に描かれた文字や図形が美しく発光するうちわ
【発明の詳細な説明】
【技術分野】
【０００１】本発明は、うちわに描かれた文字や図形を発光させ、昼夜にかかわらず表示された文字や図形を美しく読み取り可能にするものである。また製造コストも抑えることが出来、さらに扇部分を取り替えることにより表示内容も簡単に交換可能としたものである。
【背景技術】
【０００２】暗所で発光し演出効果を得られるうちわは存在するが、文字や図形の形状を自由に設定できるもの・発光部分の演出効果の高いもの・扇部分の交換が簡単であるものといった特徴をもつものは見当たらない。しかも、安価でありながら美しく文字や図形を表示可能なこの考案は、広告媒体としても有効であり、またその美しさから使用者の美的満足感も得られるものである。
【発明の開示】
【発明が解決しようとする課題】
【０００３】従来うちわは夜間に使用されるケースも多い為、暗所であることの理由からうちわに印刷された文字や図形の訴求効果が得られない場合も見受けられたが、本考案はそれを解消する為のものである。
また、光るうちわ自体は既に考案されているものの、表示内容が簡単に変更できないうえ、製造コストも難点となっている。本考案はそれをも解消するものである。
さらに、発光自体が非常に美しくかつ文字や図形がくっきりと表示される為、その訴求効果は非常に高いものである。
【課題を解決するための手段】
【０００４】手段の概要
ＬＥＤを光源とし、アクリル板（扇部分）のメッセージや広告等が描かれた文字や図形部分を間接発光させる。アクリル板の文字や図形は光源が無くとも識別できるものであるが、光源によって美しく発光する。
扇部分の交換性
アクリル板（扇部分）は、ネジ式で簡単に交換可能とした。（もちろん柄の部分に固定しても良い。）このことにより、異なるメッセージ（文字や図形）にも簡単に交換可能となる。
扇部分の材料
扇部分の材料にはアクリル板を使用する。アクリル板（扇部分）はキャスト材を使用することが好ましい。キャスト材は文字や図形をレーザー加工（彫刻）した際に白く発色し、柄の部分に埋め込まれたＬＥＤからの光をうけて文字や図形の加工部分が美しく発光する。
暗所では、文字や図形が発光して空間に浮かんでいるように見える。
【発明の効果】
【０００５】アクリル板（キャスト材）に加工（彫刻）した文字や図形は、白く発色しそれだけでも美しいうえ、暗所（あるいは夜間）では柄の部分に埋め込まれたＬＥＤの光を当てることにより、文字や図形が発光し美しくくっきりと浮かび上がる。うちわに印刷された文字や図形の視覚効果・訴求効果は極めて高い次元で得られるものと思われる。（企業ロゴ等を加工すれば、企業の広告効果も非常に高くなる。）その美しさは、イベント等でのビジュアル効果向上にも役立つものである。
また本発明により、文字や図形の表示内容も簡単に交換可能となる。製造コストも安価である。
【実施例１】
【０００６】扇部分の材料にはアクリル板（厚１．５〜２ｍｍ程度）を使用する。
アクリル板（扇部分）には製法によりキャスト材と押し出し材があるが、キャスト材を使用することが好ましい。キャスト材は文字や図形をレーザー加工（彫刻）した際に白く発色する性質があるうえに、柄の部分に埋め込まれたＬＥＤからの光をうけて文字や図形の加工部分が美しく発光する。アクリル板（キャスト材）は透明アクリル板または集光アクリル板が特に美しく発色する。
文字や図形の加工（彫刻）自体はレーザー加工でもブラスト加工（砂の吹き付け加工）でも可能であるが、生産性を考えた場合は機械依存度を高められるレーザー加工が好ましい。
暗所では、文字や図形が発光して空間に浮かんでいるように見える。
ＬＥＤの発光自体は単色の常時点灯でも美しい。
光源の発光方法に色の変更や点滅・連続的な色の変化等を盛り込めば、さらに視覚効果が高まる。アクリル板に加工された文字や図形は光源の色の変化に応じて発光色も変化する。
なお、扇部分の形状が大きく広がっている場合は、均一な発光を得る為ＬＥＤの個数を５個程度に増やす。
【図面の簡単な説明】
【０００７】
【図１】本体を正面から見た全体図である。
【図２】交換用扇部分を示した図（一例を図示）である。
【図３】柄の部分を示した詳細図である。
【図４】柄の部分を示した外観図である。
【図５】柄の部分を示した断面図である。
【符号の説明】
【０００８】１  扇の部分  アクリル板１．５ｍｍ〜２．０ｍｍ程度
２  柄の部分  （ＬＥＤ及びその発光装置＋電池を内蔵）
３  ボタン電池または乾電池収納部
４  光源化（ＬＥＤ）
５  扇の部分を固定すネジ
６  ＬＥＤ基盤
７  扇部分はめ込み溝
８  扇部分を固定するネジ用ボルト
９  扇部分固定用ボルト用貫通孔
１０  アクリル板に加工（彫刻）した文字や図形（発光する部分）
１１  柄の部分に差込する部分（のみこみしろ）
【図１】
2008126052.tif 000003
【図２】
2008126052.tif 000004
【図３】
2008126052.tif 000005
【図４】
2008126052.tif 000006
【図５】
2008126052.tif 000007
(57)【要約】      （修正有）【課題】雨や雪の日に足首や靴中がぬれてしまう状況の時に防雨、防寒カバーを提供する。【解決手段】靴と足首に脚半タイプのカバーを同時に装着できる事を特徴とする。【選択図】図１
2008126054.tif 000002
【特許請求の範囲】
【請求項１】
靴（スパイク靴を含む）と足首を同時に包むことのできる雨及び防寒用カバー
【発明の詳細な説明】
【技術分野】
【０００１】  この発明は足首と靴を雨や寒さからまもる為に関するものである。
【背景技術】
【０００２】  従来、ワンタッチで足首と靴をカバーできる物は無かった。
【発明の開示】
【発明が解決しようとする課題】
【０００３】  従来、雨が降ったり寒さがきつい時でも靴と足首を守るカバーが無く、あっても靴全体を足首まで袋のように包む物で簡単使用できる物はなかった。
【課題を解決する為の手段】
【０００４】  靴と足首を同時に包むことのできるカバーで見た目もファッショナブルである。
【発明の効果】
【０００５】（イ）足首にフィットしやすくて使用しやすい形状である。
（ロ）靴と足首全体を袋状に包むのでなくて、靴底は一部しか包まないので耐久性と見た目が良い。
（ハ）雨や寒い日に長靴を使用できない人に必要となる。
【発明を実施する為の最良の形態】
【０００６】  靴と足首に脚半に靴底の一部を包めるカバーを一体にした物で同時に包める構造となっている。
【図面の簡単な説明】
【０００７】
【図１】本発明の側面図である。
【図２】本発明の断面図である。
【図３】本発明の下部面図である。
【図４】本発明の斜視図である。
【図１】
2008126054.tif 000003
【図２】
2008126054.tif 000004
【図３】
2008126054.tif 000005
【図４】
2008126054.tif 000006
(57)【要約】【課題】事故時の走行不能車の引き揚げ、側溝に落ちた車の引き揚げ、エンジントラブルで車庫の中の車を道路に引き出し引き揚げる、これ等の作業を行うための多用途変換装置を提供する。【解決手段】車の荷台後部中央部に台座を置きその上に変換機をのせて、次に台座の下側に重量支えの支持脚を取付け、引き揚げ用のアームを取り付けることと左側後部アオリ・ヒンジ部に下部ローラー取付用のフックを取り付けることにより事故車の引き揚げ、側溝に落ちた車の引き揚げ、エンジントラブルでかからない横向きの車の引き揚げ等用途に合った作業が出来る便利で効率の良いことを特徴とする多用途変換装置。【選択図】図３
2008126999.tif 000002
【特許請求の範囲】
【請求項１】
後部中央上縁部に台座の挟持部を挟み置き、その上に載置板を持ち上げ蝶番を介して台座の受け部に変換機をのせて、下から重量を支える支持脚を取付け、引き上げ用アームの止め部を固定フックに取り付け、後部左側ヒンジに下部ローラー取り付け用のフックを取り付けることにより、事故車の引き揚げ、側溝に落ちた車の引き揚げ、車庫の中でエンジンがかからない横向きの車の引き揚げ等、用途に合った作業が出来る便利で効率の良いことを特徴とする多用途変換装置。
【発明の詳細な説明】
【技術分野】
【０００１】本発明は、車の積載だけでなくレッカー車として、又は停車している車の横移動の補助等の多用途に使えるようにした多用途変換装置に関するものである。
【背景技術】
【０００２】従来、この積載車は車を載せる搬送専用であり、引取り納車が済むとほとんどの車の荷台は空いていて、作業効率が悪い。
【発明の開示】
【発明が解決しようとする課題】
【０００３】  そのために、次のような問題点があった。
（イ）事故でタイヤが回らなくなった時、車に載せられない。
（ロ）側溝に落ちた時は、ジャッキーで持ち上げ角材を当てたり時間がかかって作業が大変であり、レッカーを頼むと費用がかさむ。
（ハ）車庫の中でエンジンがかからない横向きの車は、人手で道路に押し出さないと、車に載せられない不便さがある。
本発明は以上の問題点を解決しようとするものである。
【課題を解決するための手段】
【０００４】  後部中央上縁部に台座の挟持部を挟み置き、その上に載置板を持ち上げ諜番を介して台座の受け部に変換機をのせて、下から重量を支える支持脚を取り付け、引き上げ用アームの止め部を固定フックに取り付ける。左側後部アオリ・ヒンジに下部ローラー取り付け用の左後部アオリ・フックを取り付けることにより、事故車の引き揚げ、側溝に落ちた車の引き揚げ、車庫の中でエンジンがかからない横向きの車の引き揚げ等、用途に合った作業が出来る便利で効率の良いことを特徴とする多用途変換装置である。
【発明の効果】
【０００５】  事故、脱輪、エンジントラブル等の事故車を運搬したり事故現場から引き出すためのレッカー車として多用途に使用でき、きわめて効率の良い便利な車である。
【発明を実施するための最良の形態】
【０００６】  以下、本発明の実施の形態を説明する。
（イ）荷台（２４）の後部アオリ（１）中央部の上縁（３）に台座（４）の挟持部（５）を挟み置く。
（ロ）台座（４）の受け部（６）に蝶番（７）を介して載置板（８）を起こし変換機（９）を重ねる。
（ハ）変換機（９）に設けられた突出軸（１０）に上部ローラー（１１）を組み付ける。
（ニ）作業に応じて台座（４）の下に支持脚（１２）を取り付ける、その時横軸（１３）もいっしょに支持脚（１２）に取り付ける。
（ホ）シヤシー（１４）に取り付けてある固定フック（１５）にアーム（１６）の止め部（１７）を取り付けてウインチワイヤー（１８）で引き上げる。
（ヘ）作業に応じて上部ローラー（１１）を介し左後部アオリ・フック（１９）に下部ローラー（２０）を取り付け横向きの車を道路まで引き出す。
本発明は、以上の構成よりなっている。
本発明を使用するときは、台座（４）の受け部（６）に蝶番（７）を介し載置板（８）を起こし、変換機（９）を乗せて台座（４）の下に支持脚（１２）を取り付ける。そしてシヤシー（１４）に取り付けてある固定フック（１５）にアーム（１６）の止め部（１７）を取り付けて、引っ掛けワイヤー（２１）に吊りフック（２３）を掛けてウインチで車を持ち上げ、事故の場合にはタイヤの下に専用の台車を入れて車を引き揚げる。側溝に落ちた場合にはそのまま引き揚げる。エンジントラブルで車庫の中にある横向きの車の場合には、上部ローラー（１１）を介し下部ローラー（２０）につなぎウインチで道路まで引き出し積載車に載せる。
【図面の簡単な説明】
【０００７】
【図１】本発明の分解斜視図
【図２】本発明の分解斜視図
【図３】本発明の使用状態を示す斜視図
【符号の説明】
【０００８】  １  後部アオリ
２  凹溝
３  上縁
４  台座
５  挟持部
６  受け部
７  蝶番
８  載置板
９  変換機
１０  突出軸
１１  上部ローラー
１２  支持脚
１３  横軸
１４  シヤシー
１５  固定フック
１６  アーム
１７  止め部
１８  ウインチ・ワイヤー
１９  左後部アオリ・フック
２０  下部ローラー
２１  引っ掛けワイヤー
２２  輪
２３  吊りフック
２４  荷台
【図１】
2008126999.tif 000003
【図２】
2008126999.tif 000004
【図３】
2008126999.tif 000005